【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
音声信号セグメント内のノイズ信号を判定する方法であって：
前記音声信号セグメントの各フレーム信号にフーリエ変換を行って前記音声信号セグメントの各フレーム信号のパワースペクトルを取得するステップであって、前記パワースペクトルは、異なる周波数に対応する複数のパワー値で構成される、ステップと；
各フレーム信号の前記パワースペクトルに基づき、各周波数における前記音声信号セグメントの各フレーム信号のパワー値の分散を判定するステップと；
前記分散に基づき前記音声信号セグメントの各フレーム信号がノイズ信号であるか否かを判定するステップと；を備える、
ノイズ信号を判定する方法。
【請求項２】
処理対象音声に含まれる前記音声信号セグメントを判定するステップと；
前記分散に基づき前記音声信号セグメントの各フレーム信号がノイズ信号であるか否かを判定するステップに基づいて、前記音声信号セグメントに含まれる複数のノイズフレームを取得するステップと；
前記音声信号セグメントに含まれる複数のノイズフレームに対応する平均パワーを判定するステップと；
前記ノイズフレームの前記平均パワーに基づいて前記処理対象音声のノイズ除去を実行するステップと；を更に備える、
請求項１に記載の方法。
【請求項３】
前記処理対象音声に含まれる前記音声信号セグメントを判定するステップは：
前記処理対象音声の時間領域信号の振幅変動に基づき、前記処理対象音声における所定の閾値に満たない振幅変動の音声信号セグメントを、前記音声信号セグメントと判定するステップ、又は、処理対象音声における最初のＮ個のフレーム音声信号を前記音声信号セグメントとして獲得するステップを備える、
請求項２に記載の方法。
【請求項４】
前記音声信号セグメントに含まれる複数のノイズフレームに対応する平均パワーを判定するステップは、前記平均パワーの過剰な推定を避けるために、前記複数のノイズフレームのいくつかを用いて平均パワーを算出するステップを備える、
請求項２に記載の方法。
【請求項５】
前記音声信号セグメントの各フレーム信号にフーリエ変換を行って前記音声信号セグメントの各フレーム信号のパワースペクトルを取得する前記ステップよりも前に、
処理対象音声の時間領域信号の振幅変動に基づき、前記処理対象音声における所定の閾値に満たない振幅変動の音声信号セグメントを、前記音声信号セグメントと判定するステップ、又は、処理対象音声における最初のＮ個のフレーム音声信号を、前記音声信号セグメントとして獲得するステップを備える、
請求項１に記載の方法。
【請求項６】
前記分散に基づき前記音声信号セグメントの各フレーム信号がノイズ信号であるか否かを判定する前記ステップは：
前記音声信号セグメントの各フレーム信号に対応する前記分散が第１の閾値を超えているか否かを判定するステップと；
否定であれば、当該フレーム信号をノイズ信号と判定するステップと；を備える、
請求項１又は請求項２に記載の方法。
【請求項７】
各フレーム信号の前記パワースペクトルに基づき、各周波数における前記音声信号セグメントの各フレーム信号のパワー値の分散を判定する前記ステップは：
各周波数における前記フレーム信号のパワー値を、前記パワースペクトルに対応する複数の周波数が属する複数の周波数間隔に応じて、少なくとも、第１の周波数間隔に対応する第１のパワー値集合に分類するステップと；
前記第１のパワー値集合に含まれるパワー値の第１の分散を判定するステップと；を備え、
それに即して、前記分散が第１の閾値を超えているか否かを判定する前記ステップが、
前記第１の分散が前記第１の閾値を超えているか否かを判定するステップを備える、
請求項６に記載の方法。
【請求項８】
各フレーム信号の前記パワースペクトルに基づき、各周波数における前記音声信号セグメントの各フレーム信号のパワー値の分散を判定する前記ステップは：
各周波数における各フレーム信号のパワー値を、当該フレーム信号の各パワー値に対応する複数の周波数が属する複数の周波数間隔に応じて、少なくとも、第１の周波数間隔に対応する第１のパワー値集合と、第２の周波数間隔に対応する第２のパワー値集合とに分類するステップであって、前記第１の周波数間隔は前記第２の周波数間隔よりもその周波数が小さい、分類するステップと；
前記第１のパワー値集合に含まれるパワー値の第１の分散を判定するステップと；
前記第２のパワー値集合に含まれるパワー値の第２の分散を判定するステップと；を備え、
それに即して、前記分散に基づき前記音声信号セグメントの各フレーム信号がノイズ信号であるか否かを判定する前記ステップは：
各フレーム信号に対応する前記第１の分散と前記第２の分散との間の差分が第２の閾値を超えているか否かを判定するステップと；
否定であれば、当該フレーム信号をノイズ信号と判定するステップと；を備える、
請求項１又は請求項２に記載の方法。
【請求項９】
各フレーム信号の前記パワースペクトルに基づき、各周波数における前記音声信号セグメントの各フレーム信号のパワー値の分散を判定する前記ステップよりも後で、且つ、前記分散に基づき前記音声信号セグメントの各フレーム信号がノイズ信号であるか否かを判定する前記ステップよりも前に：
各分散の大きさに応じて、前記音声信号セグメントの各フレーム信号を順位付けるステップ；をさらに備え、
それに即して、前記分散に基づき前記音声信号セグメントの各フレーム信号がノイズ信号であるか否かを判定する前記ステップは、各周波数における順位付けられた各フレーム信号のパワー値の前記分散に基づき、前記音声信号セグメントの各フレーム信号がノイズ信号であるか否かを判定するステップを備える、
請求項１又は請求項２に記載の方法。
【請求項１０】
請求項１乃至請求項９のいずれか１項に記載の方法を実行するように構成された複数のユニットを備える、
音声信号セグメント内のノイズ信号を判定するための装置。
【手続補正２】
【補正対象書類名】明細書
【補正対象項目名】００８３
【補正方法】変更
【補正の内容】
【００８３】
以上の説明は本願の幾つかの実施の形態に過ぎず、本願を限定するものではない。当業者であれば、本願の様々な変更又は変形が可能である。本願の本質及び原理の範囲内で行われる変更、均等物との置換、改良等は全て本願の請求の範囲に包含される。
以下、本発明の実施の態様の例を列挙する。
［第１の局面］
ノイズ信号判定方法であって：
解析対象音声信号セグメントの各フレーム信号にフーリエ変換を行って前記音声信号セグメントの各フレーム信号のパワースペクトルを取得するステップと；
各フレーム信号の前記パワースペクトルに基づき、各周波数における前記音声信号セグメントの各フレーム信号のパワー値の分散を判定するステップと；
前記分散に基づき前記音声信号セグメントの各フレーム信号がノイズ信号であるか否かを判定するステップと；を備える、
ノイズ信号判定方法。
［第２の局面］
解析対象音声信号セグメントの各フレーム信号にフーリエ変換を行って前記音声信号セグメントの各フレーム信号のパワースペクトルを取得する前記ステップよりも前に、
処理対象音声の時間領域信号の振幅変動に基づき、前記処理対象音声における所定の閾値に満たない振幅変動の音声信号セグメントを、前記解析対象音声信号セグメントと判定するステップ、又は、処理対象音声における最初のＮ個のフレーム音声信号を、前記解析対象音声信号セグメントとして獲得するステップを備える、
第１の局面に記載の方法。
［第３の局面］
前記分散に基づき前記音声信号セグメントの各フレーム信号がノイズ信号であるか否かを判定する前記ステップは：
前記音声信号セグメントの各フレーム信号に対応する前記分散が第１の閾値を超えているか否かを判定するステップと；
否定であれば、当該フレーム信号をノイズ信号と判定するステップと；を備える、
第１の局面に記載の方法。
［第４の局面］
各フレーム信号の前記パワースペクトルに基づき、各周波数における前記音声信号セグメントの各フレーム信号のパワー値の分散を判定する前記ステップは：
各周波数における前記フレーム信号のパワー値を、前記パワースペクトルに対応する複数の周波数が属する複数の周波数間隔に応じて、少なくとも、第１の周波数間隔に対応する第１のパワー値集合に分類するステップと；
前記第１のパワー値集合に含まれるパワー値の第１の分散を判定するステップと；を備え、
それに即して、前記分散が第１の閾値を超えているか否かを判定する前記ステップが、
前記第１の分散が前記第１の閾値を超えているか否かを判定するステップを備える、
第３の局面に記載の方法。
［第５の局面］
各フレーム信号の前記パワースペクトルに基づき、各周波数における前記音声信号セグメントの各フレーム信号のパワー値の分散を判定する前記ステップは：
各周波数における各フレーム信号のパワー値を、当該フレーム信号の各パワー値に対応する複数の周波数が属する複数の周波数間隔に応じて、少なくとも、第１の周波数間隔に対応する第１のパワー値集合と、第２の周波数間隔に対応する第２のパワー値集合とに分類するステップであって、前記第１の周波数間隔は前記第２の周波数間隔よりもその周波数が小さい、分類するステップと；
前記第１のパワー値集合に含まれるパワー値の第１の分散を判定するステップと；
前記第２のパワー値集合に含まれるパワー値の第２の分散を判定するステップと；を備え、
それに即して、前記分散に基づき前記音声信号セグメントの各フレーム信号がノイズ信号であるか否かを判定する前記ステップは：
各フレーム信号に対応する前記第１の分散と前記第２の分散との間の差分が第２の閾値を超えているか否かを判定するステップと；
否定であれば、当該フレーム信号をノイズ信号と判定するステップと；を備える、
第１の局面に記載の方法。
［第６の局面］
各フレーム信号の前記パワースペクトルに基づき、各周波数における前記音声信号セグメントの各フレーム信号のパワー値の分散を判定する前記ステップよりも後で、且つ、前記分散に基づき前記音声信号セグメントの各フレーム信号がノイズ信号であるか否かを判定する前記ステップよりも前に：
各分散の大きさに応じて、前記解析対象音声信号セグメントの各フレーム信号を順位付けるステップ；をさらに備え、
それに即して、前記分散に基づき前記音声信号セグメントの各フレーム信号がノイズ信号であるか否かを判定する前記ステップは、各周波数における順位付けられた各フレーム信号のパワー値の前記分散に基づき、前記音声信号セグメントの各フレーム信号がノイズ信号であるか否かを判定するステップを備える、
第１の局面に記載の方法。
［第７の局面］
音声ノイズ除去方法であって：
処理対象音声に含まれる解析対象音声信号セグメントを判定するステップと；
前記解析対象音声信号セグメントの各フレーム信号にフーリエ変換を行い、前記音声信号セグメントの各フレーム信号のパワースペクトルを取得するステップと；
各フレーム信号の前記パワースペクトルに基づき、各周波数における前記音声信号セグメントの各フレーム信号のパワー値の分散を判定するステップと；
前記分散に基づき前記音声信号セグメントの各フレーム信号がノイズ信号であるか否かを判定して前記音声信号セグメントに含まれる幾つかのノイズフレームを取得するステップと；
前記音声信号セグメントに含まれる前記幾つかのノイズフレームに対応する平均パワーを判定し、そして前記ノイズフレームの前記平均パワーに基づき前記処理対象音声をノイズ除去するステップと；を備える、
音声ノイズ除去方法。
［第８の局面］
処理対象音声に含まれる解析対象音声信号セグメントを判定する前記ステップが：
前記処理対象音声の時間領域信号の振幅変動に基づき、前記処理対象音声における所定の閾値に満たない振幅変動の音声信号セグメントを、前記解析対象音声信号セグメントと判定するステップ、又は、前記処理対象音声における最初のＮ個のフレーム音声信号を前記解析対象音声信号セグメントとして獲得するステップを備える、
第７の局面に記載の方法。
［第９の局面］
前記分散に基づき前記音声信号セグメントの各フレーム信号がノイズ信号であるか否かを判定する前記ステップが：
前記音声信号セグメントの各フレーム信号に対応する前記分散が第１の閾値を超えているか否かを判定するステップと；
否定であれば、当該フレーム信号をノイズ信号と判定するステップと；を備える、
第７の局面に記載の方法。
［第１０の局面］
各フレーム信号の前記パワースペクトルに基づき、各周波数における前記音声信号セグメントの各フレーム信号のパワー値の分散を判定する前記ステップは、各周波数における前記フレーム信号のパワー値を、前記パワースペクトルに対応する複数の周波数が属する複数の周波数間隔に応じて、少なくとも、第１の周波数間隔に対応する第１のパワー値集合に分類するステップと、前記第１のパワー値集合に含まれるパワー値の第１の分散を判定するステップとを備え、
それに即して、前記分散が第１の閾値を超えるか否かを判定する前記ステップは、前記第１の分散が前記第１の閾値を超えるか否かを判定するステップを備える、
第９の局面に記載の方法。
［第１１の局面］
各フレーム信号の前記パワースペクトルに基づき、各周波数における前記音声信号セグメントの各フレーム信号のパワー値の分散を判定する前記ステップは：
各周波数における各フレーム信号のパワー値を、当該フレーム信号の各パワー値に対応する複数の周波数が属する複数の周波数間隔に応じて、少なくとも、第１の周波数間隔に対応する第１のパワー値集合と、第２の周波数間隔に対応する第２のパワー値集合とに分類するステップであって、前記第１の周波数間隔は前記第２の周波数間隔よりも小さい、分類するステップと；
前記第１のパワー値集合に含まれるパワー値の第１の分散を判定するステップと；
前記第２のパワー値集合に含まれるパワー値の第２の分散を判定するステップと；を備え、
それに即して、前記分散に基づき前記音声信号セグメントの各フレーム信号がノイズ信号であるか否かを判定する前記ステップは、各フレーム信号に対応する前記第１の分散と前記第２の分散との間の差分が第２の閾値を超えているか否かを判定するステップと、否定であれば、当該フレーム信号をノイズ信号と判定するステップとを備える、
第７の局面に記載の方法。
［第１２の局面］
各フレーム信号の前記パワースペクトルに基づき、各周波数における前記音声信号セグメントの各フレーム信号のパワー値の分散を判定する前記ステップよりも後、且つ、前記分散に基づき前記音声信号セグメントの各フレーム信号がノイズ信号であるか否かを判定する前記ステップよりも前に、各分散の大きさに応じて、前記解析対象音声信号セグメントの各フレーム信号を順位付けるステップをさらに備え、
それに即して、前記分散に基づき前記音声信号セグメントの各フレーム信号がノイズ信号であるか否かを判定する前記ステップは、各周波数における順位付けられた各フレーム信号のパワー値の前記分散に基づき、前記音声信号セグメントの各フレーム信号がノイズ信号であるか否かを判定するステップを備える、
第７の局面に記載の方法。
［第１３の局面］
ノイズ信号判定装置であって：
解析対象音声信号セグメントの各フレーム信号にフーリエ変換を行い、前記音声信号セグメントの各フレーム信号のパワースペクトルを取得するよう構成されるパワースペクトル取得部と；
各周波数における前記音声信号セグメントの各フレーム信号のパワー値の分散を、前記フレーム信号の前記パワースペクトルに基づき判定するよう構成される分散判定部と；
前記分散に基づき、前記音声信号セグメントの各フレーム信号がノイズ信号であるか否かを判定するよう構成されるノイズ判定部と；を備える、
ノイズ信号判定装置。
［第１４の局面］
処理対象音声の時間領域信号の振幅変動に基づき、前記処理対象音声における所定の閾値に満たない振幅変動の音声信号セグメントを、前記解析対象音声信号セグメントと判定するよう、又は、処理対象音声における最初のＮ個のフレーム音声信号を、前記解析対象音声信号セグメントとして獲得するよう構成されるセグメント取得部をさらに備える、
第１３の局面に記載の装置。
［第１５の局面］
前記ノイズ判定部は、前記音声信号セグメントの各フレーム信号に対応する前記分散が第１の閾値を超えているか否かを判定し、否定であれば、当該フレーム信号をノイズ信号と判定するよう構成される、
第１３の局面に記載の装置。
［第１６の局面］
前記分散判定部は、各周波数における前記フレーム信号のパワー値を、前記パワースペクトルに対応する複数の周波数が属する複数の周波数間隔に応じて、少なくとも、第１の周波数間隔に対応する第１のパワー値集合に分類し、前記第１のパワー値集合に含まれるパワー値の第１の分散を判定するよう構成されており、
それに即して、前記ノイズ判定部が、前記第１の分散が前記第１の閾値を超えるか否かを判定し、否定であれば、当該フレーム信号をノイズ信号と判定するよう構成される、
第１３の局面に記載の装置。
［第１７の局面］
前記分散判定部は、具体的に：
各周波数における各フレーム信号のパワー値を、当該フレーム信号の各パワー値に対応する複数の周波数が属する複数の周波数間隔に応じて、少なくとも、第１の周波数間隔に対応する第１のパワー値集合と、第２の周波数間隔に対応する第２のパワー値集合とに分類し、前記第１の周波数間隔は前記第２の周波数間隔よりもその周波数が小さく；
前記第１のパワー値集合に含まれるパワー値の第１の分散を判定し；
前記第２のパワー値集合に含まれるパワー値の第２の分散を判定する；よう構成されており、
それに即して、前記ノイズ判定部は：
各フレーム信号に対応する前記第１の分散と前記第２の分散との間の差分が第２の閾値を超えているか否かを判定し、否定であれば、当該フレーム信号をノイズ信号と判定するよう構成される、
第１３の局面に記載の装置。
［第１８の局面］
音声ノイズ除去装置であって：
処理対象音声に含まれる解析対象音声信号セグメントを判定するよう構成されるセグメント判定部と；
前記解析対象音声信号セグメントの各フレーム信号にフーリエ変換を行い、前記音声信号セグメントの各フレーム信号のパワースペクトルを取得するよう構成されるパワースペクトル取得部と；
各フレーム信号の前記パワースペクトルに基づき、各周波数における前記音声信号セグメントの各フレーム信号のパワー値の分散を判定するよう構成される分散判定部と；
前記分散に基づき前記音声信号セグメントの各フレーム信号がノイズ信号であるか否かを判定し、前記音声信号セグメントに含まれる幾つかのノイズフレームを取得するよう構成されるノイズ判定部と；
前記音声信号セグメントに含まれる前記幾つかのノイズフレームに対応する平均パワーを判定し、前記ノイズフレームの前記平均パワーに基づき前記処理対象音声をノイズ除去するよう構成される音声ノイズ除去部と；を備える、
音声ノイズ除去装置。